(57)【要約】【課題】使用済みのカートンにおいて、金属製の鋸刃を装着した部分を容易にかつ安全にカートンから分離廃棄することができるロール状包装材料収納カートンを提供することにある。【解決手段】本発明は、ラップフィルムなどのロール状包装材料が収納される本体前パネル、本体底パネル、本体後パネル、両本体側パネルからなるカートン本体とその上方開口部の一側縁に起伏自在に連接された蓋体天パネル、蓋体前パネルからなる蓋体を有し、蓋体前パネルに前記ロール状包装材料を必要な長さに切断するための金属製の鋸刃を装着したロール状包装材料収納カートンであって、蓋体天パネルの裏面に長さ方向にカットテープを貼り付けてなることを特徴とするロール状包装材料収納カートンである。【選択図】図１
2004168381.tif 000002
【特許請求の範囲】
【請求項１】
ラップフィルムなどのロール状包装材料が収納される本体前パネル、本体底パネル、本体後パネル、両本体側パネルからなるカートン本体とその上方開口部の一側縁に起伏自在に連接された蓋体天パネル、蓋体前パネルからなる蓋体を有し、前記蓋体前パネルに前記ロール状包装材料を必要な長さに切断するための金属製の鋸刃を装着したロール状包装材料収納カートンであって、前記蓋体天パネルの裏面に長さ方向にカットテープを貼り付けてなることを特徴とするロール状包装材料収納カートン。
【請求項２】
前記カットテープの少なくとも一方側端に位置する前記蓋体天パネルにカットテープを引っ張るためのきっかけとなる摘み部を形成したことを特徴とする請求項１に記載のロール状包装材料収納カートン。
【発明の詳細な説明】
【０００１】
【発明の属する技術分野】
本発明は、ラップフィルム、アルミホイル、クッキングペーパーなどロール状に巻かれた状態で供給されるロール状包装材料を収納するともに、これを必要な長さに切断するための金属製の鋸刃を備えたロール状包装材料収納カートンに関するものである。
【０００２】
【従来の技術】
近年、ゴミの分別廃棄が広く行き渡っており、その一環として、使用済みのロール状包装材料収納カートンは金属製の鋸刃を板紙製のカートン本体から取り外して分別廃棄することが望まれている。この場合、金属製の鋸刃は十字型や横Ｈ型の固定部分をカートン本体に突き刺して折り曲げることにより頑丈に固定されており、しかも鋸刃はカートン本体の端縁からその刃先が出ているだけで、つかむことができないために取外しが容易でなく分別廃棄がしづらいという問題があった。鋸刃の近くで鋸刃に沿ってカートンを引き裂くために、何らかの引き裂き方法を行ったとしても、鋸刃を直接つかんで引っ張ることは手を傷つけるなど危険が伴う。この問題を解決する手段として、両端からはみ出すようにフィルムをラミネートしたブリキ板を鋸刃としてカートン本体に固定し、廃棄時にはこのフィルムを引っ張ることで金属製の鋸刃に直接触れることなくカートン本体から分別する方法が知られている。
【０００３】
しかしながら、前記したように金属製の鋸刃はカートン本体に頑丈に固定されているため、鋸刃を直接又は間接的にでも引っ張る方法では刃がカシメの近傍で折れ曲がってゼンマイ状に巻いた形になり、カートン本体から分離される時には手に跳ね当たって怪我の原因となることもあり、安全性の点からは、充分な形状とはなっていない。この問題を解決するための方法としては、本発明者は、分別の過程において、鋸刃を直接つかむことなく、鋸刃と並んでカットテープを貼り付けるとともに、カットテープの少なくとも一方側にカットテープを引っ張るためのきっかけ部分を形成したことを特徴とするロール状包装材料収納カートンを提案している（例えば、特許文献１参照。）。
【０００４】
【特許文献１】
特開平１０−３１６１４６号公報
【０００５】
【発明が解決しようとする課題】
しかしながら、上記の鋸刃と並んでカットテープを貼り付けた形状のロール状包装材料収納カートンでは、鋸刃を取り付ける位置によっては、カットテープが貼り付けられる幅が狭くなり、その狭い部分にカットテープを貼り付けた場合、カットテープでカートンを引き裂きにくくなり、引き裂くとともの鋸刃が巻かれたりして、安全性の点からも、まだ、不充分な形状のものである。
【０００６】
本発明は、上記のような問題点に鑑みてなされたものであり、その目的とするところは、使用済みのカートンにおいて、金属製の鋸刃を装着した部分を容易にかつ安全にカートンから分離廃棄することができるロール状包装材料収納カートンを提供することにある。
【０００７】
【課題を解決するための手段】
上記の目的を達成するために、本発明は、ラップフィルムなどのロール状包装材料が収納される本体前パネル、本体底パネル、本体後パネル、両本体側パネルからなるカートン本体とその上方開口部の一側縁に起伏自在に連接された蓋体天パネル、蓋体前パネルからなる蓋体を有し、前記蓋体前パネルに前記ロール状包装材料を必要な長さに切断するための金属製の鋸刃を装着したロール状包装材料収納カートンであって、前記蓋体天パネルの裏面に長さ方向にカットテープを貼り付けてなることを特徴とするロール状包装材料収納カートンである。また、前記カットテープの少なくとも一方側端に位置する前記蓋体天パネルにカットテープを引っ張るためのきっかけとなる摘み部を形成することもできるものである。
【０００８】
本発明によれば、カットテープを鋸刃を取り付けた蓋体前パネルに隣接する蓋体天パネルに長さ方向にカットテープを貼り付けて、このカットテープによりカートンを引き裂くことにより、同時に、使用済みのカートンにおいて、金属製の鋸刃を装着した部分を容易にかつ安全にカートンから分離廃棄することができるロール状包装材料収納カートンを得ることができる。
【０００９】
【発明の実施の形態】
つぎに、具体例を挙げて本発明の実施の形態について説明する。図１は本発明のロール状包装材料収納カートンの具体例を示す斜視図であり、図２は図１のロール状包装材料収納カートンを形成するブランクの表面側を示す展開図であり、図３は図１のロール状包装材料収納カートンを形成するブランクの裏面側を示す展開図であり、図４は本発明のロール状包装材料収納カートンを折り畳まれた状態に組み立てる工程を説明する図であり、図５は本発明のロール状包装材料収納カートンにロール状包装材料を収納する工程を説明する図であり、図６は本発明のロール状包装材料収納カートンを開封する状態を示す斜視図であり、そして、図７は図６のロール状包装材料収納カートンを使用後に分別している状態を説明する斜視図である。
【００１０】
図１は、本発明のロール状包装材料収納カートンの一実施例を示す斜視図であり、ロール状包装材料収納カートン１は、ラップフィルムＦを紙管に巻回したロール状包装材料Ｒを収納するカートン本体１０と蓋体２０とから構成されている。通常のロール状包装材料収納カートンと異なり、蓋体天パネル２１の裏面には長さ方向全幅に渡ってカットテープＴが貼り付けられていることが特徴である。一般家庭や店舗その他において使用する時に、このロール状包装材料収納カートン１からラップフィルムＦの必要な長さを引き出し、主に魚介、蔬菜、果実類等の食品の包装用に使用した後、このカットテープＴで蓋体天パネル２１を引き裂いて、鋸刃が装着された部分をカートンから分離し、廃棄することができる。
【００１１】
図２は、本発明のロール状包装材料収納カートン１のブランクの表面側を示す展開図である。ブランク１Ａは、ロール状包装材料Ｒを収納するカートン本体１０の部分とカートン本体１０の開口部を覆う蓋体２０の部分から構成されている。カートン本体１０の部分では、本体前パネル１１、本体底パネル１２、本体後パネル１３が順次折れ線ａ、ｂを介して連設され、本体前パネル１１の両側辺には、本体折り込み片１４、１４がそれぞれ折れ線ｃ、ｃを介して連設され、本体底パネル１２の両側辺には、本体側パネル１５、１５がそれぞれ折れ線ｄ、ｄを介して連設され、そして、本体後パネル１３の両側辺には、本体折り込み辺１６、１６がそれぞれ折れ線ｅ、ｅを介して連設されている。また、本体前パネル１１の上辺には、折り返しパネル１７が折れ線ｆを介して連設されている。
【００１２】
一方、蓋体２０の部分では、蓋体天パネル２１が本体後パネル１３の下辺に折れ線ｇを介して連設され、そして、この蓋体天パネル２１の下辺には、蓋体前パネル２２が折れ線ｈを介して連設されている。また、蓋体天パネル２１の両側辺には、蓋体側パネル２３、２３がそれぞれ折れ線ｉ、ｉを介して連設され、蓋体前パネル２２の両側辺には、蓋体折り込み片２４、２４がそれぞれ折れ線ｊ、ｊを介して連設されている。また、蓋体前パネル２２には使用時に切り離して鋸刃Ｃを露出させるための切り取り部２２ａが破断線Ｄで区画され、その切り取り部２２ａが貼り合せられる本体前パネル１１の部分には、表面からの半切れで形成した複数の接着領域Ｈが形成されている。この接着領域Ｈで、本体前パネル１１に蓋体前パネル２２の切り取り部２２ａが貼り合わされる。
【００１３】
図３は、本発明のロール状包装材料収納カートン１のブランクの裏面側を示す展開図である。鋸刃Ｃは、一般に錫メッキ鋼板を連続的に打ち抜いて形成されたもので、多数箇所のカシメにより蓋体前パネル２２の裏面に装着されている。そして、蓋体天パネル２１の裏面には、長さ方向に、カットテープＴが蓋体前パネル２２とその両側の蓋体側パネル２３、２３に渡ってブランク１Ａを横断するように貼り付けられている。
【００１４】
さらに、このカットテープＴを引っ張るためのとっかかりとしての摘み部Ｐを形成するため、蓋体天パネル２１と両側の蓋体側パネル２３、２３との境界となる折れ線ｉにかかるか、あるいは僅かに折れ線ｉの外側の位置に、図２に示すように、コの字状の切り込みｐを設けることができる。
【００１５】
カットテープＴとしては、ポリプロピレン（ＰＰ）樹脂、ポリエチレンテレフタレート（ＰＥＴ）樹脂等の合成樹脂フィルムからなるテープを用いることができる。
【００１６】
つぎに、上記の構成からなる板紙製のブランク１Ａを組み立てて本発明のロール状包装材料収納カートン１を形成する工程を説明する。すなわち、ブランク１Ａの必要な箇所に糊付けしつつ折れ線に従って折り曲げて折り畳まれたロール状包装材料収納カートン１を作製し、その後、自動充填包装ラインでロール状包装材料収納カートン１の中にラップフィルムＦがロール状に巻かれたロール状包装材料Ｒを収納する。
【００１７】
まず、折り返しパネル１７を、図４−ａに示すように、折れ線ｆで内側に折り返し、折り返しパネル１７を本体前パネル１１の裏面に貼り合わせる。ついで、本体前パネル１１を折れ線ａで内側に折り曲げる。さらに、図４−ｂに示すように、蓋体天パネル２１を折れ線ｇで折り曲げて蓋体前パネル２２を本体前パネル１１の上に重ね、蓋体前パネル２２の切り取り部２２ａと本体前パネル１１に貼り合せて、図４−ｃに示すような折り畳まれたロール状包装材料収納カートン１作製する。このように折り畳まれた状態において、内容物のロール状包装材料Ｒを充填する前の保管、輸送などを行う。
【００１８】
つぎに、自動充填包装ラインでロール状包装材料収納カートン１に内容物のラップフィルムＦなどが巻かれたロール状包装材料Ｒを収納する。折り畳まれた状態のロール状包装材料収納カートン１を起こして、図５−ａに示すような四角柱形状とし、一方の側面の開口部からロール状包装材料Ｒを挿入する。ロール状包装材料Ｒを挿入した後、図５−ｂに示すように、本体折り込み片１４、１６を折り曲げ、そして、その上に本体側パネル１５を折り曲げて本体折り込み片１４、１６と側パネル１５を貼り合わせる。ついで、蓋体折り込み片２４を折り曲げ、その上に、蓋体側パネル２３を折り曲げて貼り合わせることによって、一方の側面が形成される。同様にして、もう一方の側面を形成して、図５−ｃに示すようなロール状包装材料収納カートン１が完成される。
【００１９】
実際に、本発明のロール状包装材料収納カートンを使用するには、図６に示すように、蓋体前パネル２２の切り取り部２２ａを本体前パネル１１から剥がしながら破断線Ｄに沿って切り取って除去した後、図１に示すように蓋体２０を開け、中のラップフィルムＦの端縁を摘んで所望の長さだけ引き出してから鋸刃Ｃで切断する。
【００２０】
そして、使用した後には、蓋体側パネル２３を蓋体折り込み片２４から剥がして、折れ線ｉで切り取りながら、図７−ａに示すように、カットテープＴを摘んで、蓋部前パネル２１の端部からカートン長手方向に引っ張ると、カットテープＴの貼り付けられた部分が帯状に引き裂かれ、引っ張り始めた端部の反対側に達すると、カットテープＴの貼り付けられた部分は取り除かれ、蓋体天パネル２１が二つに分離され、図７−ｂに示すように、鋸刃Ｃに触れることなく鋸刃Ｃが装着された蓋体前パネル２２と共に、カートン本体１０から分離することができる。また、折れ線ｋの部分に切り込みｐにより摘み部Ｐを設けた形状の場合には、図７−ｃに示すように、この摘み部Ｐを摘んで蓋部前パネル２１の端部からカートン長手方向に引っ張ると、カットテープＴの貼り付けられた部分が帯状に容易に引き裂くことができる。
【００２１】
なお、上記の具体例では、カットテープＴを蓋体天パネル２１とその両側に隣接する蓋体側パネル２３、２３に渡ってブランク１Ａを横断するように設けたが、製造工程の都合によっては、蓋体天パネル２１の中に納まるように設けてもよい。
【００２２】
本発明のロール状包装材料収納カートンに収納するロール状包装材料Ｒは、主にラップフィルムＦであり、例えば、塩化ビニリデン系、塩化ビニール系、ポリエチレン系などの合成樹脂フィルムである。また、ラップフィルムＦ以外にも、アルミホイル、ワックスペーパー、その他家庭または店舗等でのロール状包装材料についても利用可能なものである。
【００２３】
さらに、上記の具体例ではロール状包装材料収納カートンについて説明したが、本発明はカートン本体と蓋体とが一体構成されるロール状包装材料収納カートン一般について適用可能であり、また、上記の具体例で示したような直線状の鋸刃を備えたロール状包装材料収納カートンのみならず、中央部がＶ字状に突出したいわゆるＶ字形状の鋸刃が取り付けられたロール状包装材料収納カートンにも適用できることは言うまでもない。
【００２４】
【実施例】
つぎに、本発明のロール状包装材料収納カートンについて、さらに、実施例をあげて説明する。
【００２５】
ブランク１Ａとなる用紙にコートボール紙（坪量４００ｇ／ｍ２）を用い、その表面に任意の絵柄と透明ニスをグラビア方式で印刷した。印刷には巻取りの用紙を使用し、用紙の流れと平行に厚さ５０μｍで片面に粘着処理を施したＰＰ樹脂製のカットテープＴをロール状包装材料収納カートンの図３に示す位置にくるように貼り込み、印刷ユニットの直後に設置されている打抜ユニットで折曲げのための押し罫線を入れると同時にブランク１Ａの形状に抜き加工を行った。そして、ブランク１Ａを組み立てるとともに中にラップフィルムＦを収納してロール状包装材料収納カートン１を形成した。
【００２６】
形成されたロール状包装材料収納カートン１において、蓋体天パネル２１の一辺の折れ線ｉの部分に切り込みｐにより設けた摘み部Ｐを摘んで蓋部前パネル２１の端部からカートン長手方向に引っ張ると、図に示すように、カットテープＴの貼り付けられた部分が帯状に容易に引き裂くことができた。そして、蓋体天パネル２１が二つに分離され、鋸刃Ｃに触れることなく鋸刃Ｃが装着された蓋体前パネル２２と共に、カートン本体１０から分離することができた。
【００２７】
【発明の効果】
以上、説明したように、本発明のロール状包装材料収納カートンによれば、鋸刃の部分をカートンから分離するに際して、カットテープを引っ張るだけでよく、金属製の鋸刃に直接触れる必要がないので、分離の過程で変形により手を傷付けることがなく、安全にかつ容易に鋸刃装着した部分をカートンから分離することができるという効果を奏するものである。
【図面の簡単な説明】
【図１】本発明のロール状包装材料収納カートンの具体例を示す斜視図である。
【図２】図１のロール状包装材料収納カートンを形成するブランクの表面側を示す展開図である。
【図３】図１のロール状包装材料収納カートンを形成するブランクの裏面側を示す展開図である。
【図４】本発明のロール状包装材料収納カートンを折り畳まれた状態に組み立てる工程を説明する図である。
【図５】本発明のロール状包装材料収納カートンにロール状包装材料を収納する工程を説明する図である。
【図６】本発明のロール状包装材料収納カートンを開封する状態を示す斜視図である。
【図７】図６のロール状包装材料収納カートンを使用後に分別している状態を説明する斜視図である。
【符号の説明】
１    本発明のロール状包装材料収納カートン
１Ａ  ブランク
１０    カートン本体
１１    本体前パネル
１２    本体底パネル
１３    本体後パネル
１４    本体折り込み片
１５    本体側パネル
１６    本体折り込み片
１７    折り返しパネル
２０    蓋体
２１    蓋体天パネル
２２    蓋体前パネル
２２ａ  切り取り部
２３    蓋体側パネル
２４    蓋体折り込み片
Ｃ    鋸刃
Ｆ    ラップフィルム
Ｈ    接着ポイント
Ｔ    カットテープ
Ｐ    摘み部
ａ〜ｊ  折れ線
ｐ    切り込み
【図１】
2004168381.tif 000003
【図２】
2004168381.tif 000004
【図３】
2004168381.tif 000005
【図４】
2004168381.tif 000006
【図５】
2004168381.tif 000007
【図６】
2004168381.tif 000008
【図７】
2004168381.tif 000009